(57)【特許請求の範囲】
【請求項１】
１フィールド期間内に配置される点灯期間の総和である総点灯期間長の制御により、ピーク輝度レベルの制御が可能な表示パネルの点灯期間設定方法であって、
入力画像データに基づいて、画面全体の平均輝度レベルを算出する処理と、
所定の値に定められた２つの閾値を第１の閾値および第２の閾値（但し、第１の閾値＜第２の閾値）と表すとき、平均輝度レベルが第１の閾値より小さい場合には１フィールド期間内に配置される点灯期間の数が複数の場合に最初に出現する点灯期間の始期から最後に出現する点灯期間の終期までの期間長が異なる所定の３種類の発光モードのうち点灯期間の始期から最後に出現する点灯期間の終期までの期間長が最も短い第１のモードを選択し、平均輝度レベルが第１の閾値以上且つ第２の閾値より小さい場合には第１のモードよりも点灯期間の始期から最後に出現する点灯期間の終期までの期間長が長い第２のモードを選択し、平均輝度レベルが第２の閾値以上の場合には第２のモードよりも点灯期間の始期から最後に出現する点灯期間の終期までの期間長が長い第３のモードを選択する処理と、
入力画像データに基づいて、１画面内に出現する一定以上の輝度を有する一定以上の面積を有する領域を検出し、検出結果に基づいて、表示画像のフリッカ成分のレベルを検出する処理と、
所定の３種類の発光モードのうち第３のモードを選択した場合に、フリッカ成分の検出レベルに基づいて、入力画像データに応じて設定されるピーク輝度レベルが得られるように、第３のモードについて規定された設定条件に従って、１フィールド期間内に配置される点灯期間の数、配置位置及び期間長を設定する処理と、
を有し、
１フィールド期間内に配置される点灯期間の数が複数の場合には、配列上の中心に近い点灯期間ほど期間長が長くなり、配列上の周辺に近い点灯期間ほど期間長が短くなるように時間長を設定する処理を行う、
点灯期間設定方法。
【請求項２】
入力画像データに基づいた動き量の検出結果に基づいて、動画ボケ成分のレベルを検出する処理と、
所定の３種類の発光モードのうち第１のモードを選択した場合に、動画ボケ成分の検出レベルに基づいて、入力画像データに応じて設定されるピーク輝度レベルが得られるように、第１のモードについて規定された設定条件に従って、１フィールド期間内に配置される点灯期間の数、配置位置及び期間長を設定する処理と、
を備えている請求項１に記載の点灯期間設定方法。
【請求項３】
所定の３種類の発光モードのうち第２のモードを選択した場合に、入力画像データに応じて設定されるピーク輝度レベルが得られるように、第２のモードについて規定された設定条件に従って、１フィールド期間内に配置される点灯期間の数、配置位置及び期間長を設定する処理、
を備えている請求項１または請求項２に記載の点灯期間設定方法。
【請求項４】
１フィールド期間内に配置される点灯期間の総和である総点灯期間長の制御により、ピーク輝度レベルが可変される表示パネルの駆動方法において、
入力画像データに基づいて、画面全体の平均輝度レベルを算出する処理と、
所定の値に定められた２つの閾値を第１の閾値および第２の閾値（但し、第１の閾値＜第２の閾値）と表すとき、平均輝度レベルが第１の閾値より小さい場合には１フィールド期間内に配置される点灯期間の数が複数の場合に最初に出現する点灯期間の始期から最後に出現する点灯期間の終期までの期間長が異なる所定の３種類の発光モードのうち点灯期間の始期から最後に出現する点灯期間の終期までの期間長が最も短い第１のモードを選択し、平均輝度レベルが第１の閾値以上且つ第２の閾値より小さい場合には第１のモードよりも点灯期間の始期から最後に出現する点灯期間の終期までの期間長が長い第２のモードを選択し、平均輝度レベルが第２の閾値以上の場合には第２のモードよりも点灯期間の始期から最後に出現する点灯期間の終期までの期間長が長い第３のモードを選択する処理と、
入力画像データに基づいて、１画面内に出現する一定以上の輝度を有する一定以上の面積を有する領域を検出し、検出結果に基づいて、表示画像のフリッカ成分のレベルを検出する処理と、
所定の３種類の発光モードのうち第３のモードを選択した場合に、フリッカ成分の検出レベルに基づいて、入力画像データに応じて設定されるピーク輝度レベルが得られるように、第３のモードについて規定された設定条件に従って、１フィールド期間内に配置される点灯期間の数、配置位置及び期間長を設定する処理と、
を有し、
１フィールド期間内に配置される点灯期間の数が複数の場合には、配列上の中心に近い点灯期間ほど期間長が長くなり、配列上の周辺に近い点灯期間ほど期間長が短くなるように設定する処理と、
設定された期間長が得られるように画素アレイ部を駆動する処理と、
を有する表示パネルの駆動方法。
【請求項５】
入力画像データに基づいて、画面全体の平均輝度レベルを算出する処理を行う輝度レベル算出部と、
所定の値に定められた２つの閾値を第１の閾値および第２の閾値（但し、第１の閾値＜第２の閾値）と表すとき、平均輝度レベルが第１の閾値より小さい場合には１フィールド期間内に配置される点灯期間の数が複数の場合に最初に出現する点灯期間の始期から最後に出現する点灯期間の終期までの期間長が異なる所定の３種類の発光モードのうち点灯期間の始期から最後に出現する点灯期間の終期までの期間長が最も短い第１のモードを選択し、平均輝度レベルが第１の閾値以上且つ第２の閾値より小さい場合には第１のモードよりも点灯期間の始期から最後に出現する点灯期間の終期までの期間長が長い第２のモードを選択し、平均輝度レベルが第２の閾値以上の場合には第２のモードよりも点灯期間の始期から最後に出現する点灯期間の終期までの期間長が長い第３のモードを選択する処理を行う発光モード判別部と、
入力画像データに基づいて、１画面内に出現する一定以上の輝度を有する一定以上の面積を有する領域を検出し、検出結果に基づいて、表示画像のフリッカ成分のレベルを検出する処理を行うフリッカ成分検出部と、
所定の３種類の発光モードのうち第３のモードを選択した場合に、フリッカ成分の検出レベルに基づいて、入力画像データに応じて設定されるピーク輝度レベルが得られるように、第３のモードについて規定された設定条件に従って、１フィールド期間内に配置される点灯期間の数、配置位置及び期間長を設定する処理を行う点灯期間設定部と、
を有し、
点灯期間設定部は、
１フィールド期間内に配置される点灯期間の数が複数の場合には、配列上の中心に近い点灯期間ほど期間長が長くなり、配列上の周辺に近い点灯期間ほど期間長が短くなるように時間長を設定する処理を行う、
点灯条件設定装置。
【請求項６】
入力画像データに基づいて、画面全体の平均輝度レベルを算出する処理を行う輝度レベル算出部と、
所定の値に定められた２つの閾値を第１の閾値および第２の閾値（但し、第１の閾値＜第２の閾値）と表すとき、平均輝度レベルが第１の閾値より小さい場合には１フィールド期間内に配置される点灯期間の数が複数の場合に最初に出現する点灯期間の始期から最後に出現する点灯期間の終期までの期間長が異なる所定の３種類の発光モードのうち点灯期間の始期から最後に出現する点灯期間の終期までの期間長が最も短い第１のモードを選択し、平均輝度レベルが第１の閾値以上且つ第２の閾値より小さい場合には第１のモードよりも点灯期間の始期から最後に出現する点灯期間の終期までの期間長が長い第２のモードを選択し、平均輝度レベルが第２の閾値以上の場合には第２のモードよりも点灯期間の始期から最後に出現する点灯期間の終期までの期間長が長い第３のモードを選択する処理を行う発光モード判別部と、
入力画像データに基づいて、１画面内に出現する一定以上の輝度を有する一定以上の面積を有する領域を検出し、検出結果に基づいて、表示画像のフリッカ成分のレベルを検出する処理を行うフリッカ成分検出部と、
所定の３種類の発光モードのうち第３のモードを選択した場合に、フリッカ成分の検出レベルに基づいて、入力画像データに応じて設定されるピーク輝度レベルが得られるように、第３のモードについて規定された設定条件に従って、１フィールド期間内に配置される点灯期間の数、配置位置及び期間長を設定する処理を行う点灯期間設定部と、
を有し、
点灯期間設定部は、
１フィールド期間内に配置される点灯期間の数が複数の場合には、配列上の中心に近い点灯期間ほど期間長が長くなり、配列上の周辺に近い点灯期間ほど期間長が短くなるように時間長を設定する処理を行う、
半導体デバイス。
【請求項７】
１フィールド期間内に配置される点灯期間の総和である総点灯期間長の制御により、ピーク輝度レベルが可変制御される表示パネルにおいて、
アクティブマトリクス駆動方式に対応する画素構造を有する画素アレイ部と、
入力画像データに基づいて、画面全体の平均輝度レベルを算出する処理を行う輝度レベル算出部と、
所定の値に定められた２つの閾値を第１の閾値および第２の閾値（但し、第１の閾値＜第２の閾値）と表すとき、平均輝度レベルが第１の閾値より小さい場合には１フィールド期間内に配置される点灯期間の数が複数の場合に最初に出現する点灯期間の始期から最後に出現する点灯期間の終期までの期間長が異なる所定の３種類の発光モードのうち点灯期間の始期から最後に出現する点灯期間の終期までの期間長が最も短い第１のモードを選択し、平均輝度レベルが第１の閾値以上且つ第２の閾値より小さい場合には第１のモードよりも点灯期間の始期から最後に出現する点灯期間の終期までの期間長が長い第２のモードを選択し、平均輝度レベルが第２の閾値以上の場合には第２のモードよりも点灯期間の始期から最後に出現する点灯期間の終期までの期間長が長い第３のモードを選択する処理を行う発光モード判別部と、
入力画像データに基づいて、１画面内に出現する一定以上の輝度を有する一定以上の面積を有する領域を検出し、検出結果に基づいて、表示画像のフリッカ成分のレベルを検出する処理を行うフリッカ成分検出部と、
所定の３種類の発光モードのうち第３のモードを選択した場合に、フリッカ成分の検出レベルに基づいて、入力画像データに応じて設定されるピーク輝度レベルが得られるように、第３のモードについて規定された設定条件に従って、１フィールド期間内に配置される点灯期間の数、配置位置及び期間長を設定する処理を行う点灯期間設定部と、
設定された期間長が得られるように画素アレイ部を駆動する処理を行うパネル駆動部と、
を有し、
点灯期間設定部は、
１フィールド期間内に配置される点灯期間の数が複数の場合には、配列上の中心に近い点灯期間ほど期間長が長くなり、配列上の周辺に近い点灯期間ほど期間長が短くなるように時間長を設定する処理を行う、
表示パネル。
【請求項８】
画素アレイ部は、ＥＬ素子をマトリクス状に配置した画素構造を有し、パネル駆動部はＥＬ素子の点灯期間を設定する請求項７に記載の表示パネル。
【請求項９】
アクティブマトリクス駆動方式に対応する画素構造を有する画素アレイ部であって、１フィールド期間内に配置される点灯期間の総和である総点灯期間長の制御により、ピーク輝度レベルが可変される画素アレイ部と、
入力画像データに基づいて、画面全体の平均輝度レベルを算出する処理を行う輝度レベル算出部と、
所定の値に定められた２つの閾値を第１の閾値および第２の閾値（但し、第１の閾値＜第２の閾値）と表すとき、平均輝度レベルが第１の閾値より小さい場合には１フィールド期間内に配置される点灯期間の数が複数の場合に最初に出現する点灯期間の始期から最後に出現する点灯期間の終期までの期間長が異なる所定の３種類の発光モードのうち点灯期間の始期から最後に出現する点灯期間の終期までの期間長が最も短い第１のモードを選択し、平均輝度レベルが第１の閾値以上且つ第２の閾値より小さい場合には第１のモードよりも点灯期間の始期から最後に出現する点灯期間の終期までの期間長が長い第２のモードを選択し、平均輝度レベルが第２の閾値以上の場合には第２のモードよりも点灯期間の始期から最後に出現する点灯期間の終期までの期間長が長い第３のモードを選択する処理を行う発光モード判別部と、
入力画像データに基づいて、１画面内に出現する一定以上の輝度を有する一定以上の面積を有する領域を検出し、検出結果に基づいて、表示画像のフリッカ成分のレベルを検出する処理を行うフリッカ成分検出部と、
所定の３種類の発光モードのうち第３のモードを選択した場合に、フリッカ成分の検出レベルに基づいて、入力画像データに応じて設定されるピーク輝度レベルが得られるように、第３のモードについて規定された設定条件に従って、１フィールド期間内に配置される点灯期間の数、配置位置及び期間長を設定する処理を行う点灯期間設定部と、
設定された期間長が得られるように画素アレイ部を駆動する処理を行うパネル駆動部と、
システム制御部と、
システム制御部に対する操作入力部と、
を有し、
点灯期間設定部は、
１フィールド期間内に配置される点灯期間の数が複数の場合には、配列上の中心に近い点灯期間ほど期間長が長くなり、配列上の周辺に近い点灯期間ほど期間長が短くなるように時間長を設定する処理を行う、
電子機器。
【発明の詳細な説明】
【技術分野】
【０００１】
この明細書で説明する発明は、表示パネルにおけるピーク輝度レベルの制御技術に関する。
なお、発明は、点灯期間設定方法、表示パネルの駆動方法、バックライトの駆動方法、点灯条件設定装置、半導体デバイス、表示パネル及び電子機器としての側面を有する。
【背景技術】
【０００２】
近年における液晶パネルの普及は目覚ましく、多くの製品に搭載されるに至っている。ただし、液晶パネルは、動画応答速度が必ずしも早くない。このため、昨今の液晶パネルには、バックライトの点滅駆動、ハーフフレームレート化その他の対策技術が採用されている。これに伴い、液晶パネルにおける動画像の表示特性は改善しつつある。
【０００３】
ところで、次世代フラットパネルとして、応答速度が速く動画表示特性の高い有機ＥＬ（Electro Luminescence）パネルが注目されている。有機ＥＬパネルは、画素自体が発光するいわゆる自発光型の表示パネルであり、動画表示性能が高い。
【特許文献１】特開２００２−７５０３８号公報
【特許文献２】特開２００５−１０７１８１号公報
【発明の開示】
【発明が解決しようとする課題】
【０００４】
前述したように、有機ＥＬパネルは、動画応答性に優れた表示パネルであるが、その動画応答性の早さゆえにフリッカと呼ばれる画面のちらつきが目立ちやすい問題がある。例えば映像信号を低フレーム周波数（又は低フィールド周波数）で表示する場合、有機ＥＬパネルにおいてもフリッカが視認され易くなる。なお、この問題は、動画応答性を改善した液晶パネルで同様である。
【０００５】
このように、動画応答性を優先した表示パネルでは、フリッカによる表示品質の低下を伴う問題がある。その一方で、フリッカ対策を優先した表示パネルでは、動画応答性の低下による表示品質の低下を伴う問題がある。すなわち、フリッカの改善と動画応答性の改善は相反する関係にある。
【０００６】
しかも、表示パネルに表示される映像信号の種類も、静止画像から動画像まで幅広い。このため、全ての画像に適した駆動条件の設定は難しいのが現状である。また、フリッカは、映像信号のフレーム周波数によって見え方が変化することが知られている。
【０００７】
ところが、フレーム周波数についても、使用地域や入力信号の種類によって大きく変化する。このため、全ての条件を想定した駆動システムの実現には、回路規模の増大や価格の増加を避け得ない問題がある。
【課題を解決するための手段】
【０００８】
そこで、発明者らは、以下に示す各種の駆動技術を提案する。
【０００９】
（Ａ）点灯期間の設定方法
発明者らは、１フィールド期間内に配置される点灯期間の総和である総点灯期間長の制御により、ピーク輝度レベルの制御が可能な表示パネルの点灯期間設定方法として、以下の処理を有する方法を提案する。
【００１０】
（ａ）入力画像データに基づいて、画面全体の平均輝度レベルを算出する処理
（ｂ）算出された平均輝度レベルに基づいて、発光モードを判別する処理
（ｃ）入力画像データに応じて設定されるピーク輝度レベルが得られるように、判別された発光モードについて規定された設定条件に従って、１フィールド期間内に配置される点灯期間の数、配置位置及び期間長を設定する処理
【００１１】
なお、点灯期間とは、１フィールド期間のうち発光素子が点灯している期間をいう。すなわち、画像が画面上に表示される期間をいう。従って、点灯期間は、１フィールド期間内に１回の場合だけでなく、複数回の場合も含まれる。図１に、１フィールド期間内の点灯期間が１回の例を示す。図中、網掛けで示す部分が点灯期間である。
【００１２】
この明細書では、個々の点灯期間の長さを点灯期間長という。図１の場合、点灯期間は１回であるので、その点灯期間長と総点灯期間長とは一致する。
因みに、図１（Ａ）は、総点灯期間長が１フィールド期間の数％の例である。図１（Ｂ）は、総点灯期間長が１フィールド期間の２５％の例である。図１（Ｃ）は、総点灯期間長が１フィールド期間の５０％の例である。図１（Ｃ）は、総点灯期間長が１フィールド期間の７５％の例である。
【００１３】
一般的には、総点灯期間長が短いと動画応答性が高まり、総点灯期間長が長いとフリッカが見えにくくなる。ただし、１フィールド期間内に複数の点灯期間が設定される場合（総点灯期間長が複数の点灯期間の総和として設定される場合）、総点灯期間長だけでなく、個々の点灯期間の配置の仕方によって動画の応答特性やフリッカの視認性が変化する。
【００１４】
また、総点灯期間長を制御すると、ピーク輝度レベルを制御することができる。図２に、総点灯期間長の長さとピーク輝度レベルとの関係を示す。図２に示すように、総点灯期間長が異なれば、信号電位が同じでも輝度レベルが変化する。この輝度レベルの変化は、階調情報に基づく輝度レベルの変化とは独立した変化である。この明細書では、このような２次的な輝度制御が可能な表示パネルを前提とする。
【００１５】
ところで、前述した発光モードは、動画重視モード、バランスモード及びフリッカ重視モードのいずれかであることが望ましい。映像信号は、これら３種類のいずれかに分類することができるためである。
【００１６】
また、前述した設定方法は、以下の処理を実行することが望ましい。
（ｄ）入力画像データに基づいて、１画面内に出現する一定以上の輝度を有する一定以上の面積を有する領域を検出する処理
（ｅ）検出結果に基づいて、表示画像のフリッカ成分のレベルを検出する処理
（ｆ）検出レベルに基づいて、発光モードの判別を調整する処理
【００１７】
このような検出処理を採用するのは、フリッカは、一定以上の輝度を有する領域が一定以上の面積を有する領域で知覚され易いためである。
また、検出結果に基づいて発光モードの判別を調整することで、発光モードの判別精度を高めることができる。
【００１８】
また、前述した設定方法は、入力画像データの種類に基づいて、発光モードの判定閾値を調整する処理を更に有することが望ましい。この判定閾値の調整により、発光モードの判別精度を高めることができる。
【００１９】
（Ｂ）表示パネルの駆動方法
また、発明者らは、１フィールド期間内に配置される点灯期間の総和である総点灯期間長の制御により、ピーク輝度レベルが可変される表示パネルの駆動方法として、前述した点灯期間設定処理と、設定された期間長が得られるように画素アレイ部を駆動する処理とを有するものを提案する。
【００２０】
（Ｃ）バックライトの駆動方法
また、発明者らは、１フィールド期間内に配置される点灯期間の総和である総点灯期間長の制御によりピーク輝度レベルが可変される表示パネルにおけるバックライトの駆動方法として、前述した点灯期間設定処理と、設定された期間長が得られるようにバックライトを駆動する処理とを有するものを提案する。
【００２１】
（Ｄ）点灯条件設定装置その他のデバイス
また、発明者らは、前述した点灯期間設定処理を実行する機能部を搭載する点灯期間設定装置を提案する。この点灯期間設定装置は、半導体基板上に形成される場合だけでなく、絶縁基板上に形成される場合も含まれる。なお、この点灯期間設定装置は、半導体デバイスであることが望ましい。
【００２２】
（Ｅ）表示パネル１
また、発明者らは、１フィールド期間内に配置される点灯期間の総和である総点灯期間長の制御により、ピーク輝度レベルが可変制御される表示パネルにおいて、以下のデバイスを備えるものを提案する。
（ａ）アクティブマトリクス駆動方式に対応する画素構造を有する画素アレイ部
（ｂ）入力画像データに基づいて、画面全体の平均輝度レベルを算出する輝度レベル算出部
（ｃ）算出された平均輝度レベルに基づいて、発光モードを判別する発光モード判別部
（ｄ）入力画像データに応じて設定されるピーク輝度レベルが得られるように、判別された発光モードについて規定された設定条件に従って、１フィールド期間内に配置される点灯期間の数、配置位置及び期間長を設定する点灯期間設定部
（ｅ）設定された期間長が得られるように前記画素アレイ部を駆動するパネル駆動部
【００２３】
ここで、前述した画素アレイ部は、ＥＬ素子をマトリクス状に配置した画素構造を有するものであり、前述したパネル駆動部はＥＬ素子の点灯期間を設定するように動作する。
【００２４】
（Ｆ）表示パネル２
また、発明者らは、１フィールド期間内に配置される点灯期間の総和である総点灯期間長の制御により、ピーク輝度レベルが可変制御される表示パネルにおいて、以下のデバイスを備えるものを提案する。
（ａ）アクティブマトリクス駆動方式に対応する画素構造を有する画素アレイ部
（ｂ）入力画像データに基づいて、画面全体の平均輝度レベルを算出する輝度レベル算出部
（ｃ）算出された平均輝度レベルに基づいて、発光モードを判別する発光モード判別部
（ｄ）入力画像データに応じて設定されるピーク輝度レベルが得られるように、判別された発光モードについて規定された設定条件に従って、１フィールド期間内に配置される点灯期間の数、配置位置及び期間長を設定する点灯期間設定部
（ｅ）設定された期間長が得られるようにバックライト光源を駆動するバックライト駆動部
【００２５】
（Ｇ）電子機器
この他、発明者らは、前述した表示パネルを搭載した電子機器を提案する。
ここで、電子機器は、表示パネルモジュールと、システム全体の動作を制御するシステム制御部と、システム制御部に対する操作入力を受け付ける操作入力部とで構成する。
なお、ここでの表示パネルには、前述した２種類の表示パネルが含まれる。
【発明の効果】
【００２６】
発明者らの提案する駆動技術を採用すれば、入力画像の明るさや特性に応じて、１フィールド期間内に配置される点灯期間の数、配置位置及び期間長を設定することができる。結果的に、ピーク輝度レベルを広範囲に亘って調整する場合でも、入力画像に応じた点灯制御を実現できる。
【発明を実施するための最良の形態】
【００２７】
以下、明細書において提案する発明を、アクティブマトリクス駆動型の有機ＥＬパネルに適用する場合について説明する。
なお、本明細書で特に図示又は記載されない部分には、当該技術分野の周知又は公知技術を適用する。
また以下に説明する形態例は、発明の一つの形態例であって、これらに限定されるものではない。
【００２８】
（Ａ）有機ＥＬパネルの外観構造
この明細書では、画素アレイ部と駆動回路（例えば制御線駆動部、信号線駆動部、点灯条件設定部等）を同じ基板上に形成する表示パネルだけでなく、例えば特定用途向けＩＣとして製造された駆動回路を画素アレイ部と同じ基板上に実装したものも含めて表示パネルと呼ぶ。
【００２９】
図３に、有機ＥＬパネルの外観例を示す。有機ＥＬパネル１は、支持基板３に対向基板５を貼り合わせた構造を有している。
支持基板３は、ガラス、プラスチックその他の基材で構成される。有機ＥＬパネルの発光方式がトップエミッション方式を採用する場合、支持基板３の表面に画素回路が形成される。すなわち、支持基板３が回路基板に相当する。
【００３０】
一方、有機ＥＬパネルの発光方式がボトムエミッション方式を採用する場合、支持基板３の表面には有機ＥＬ素子が形成される。すなわち、支持基板３が封止基板に相当する。
【００３１】
対向基板５も、ガラス、プラスチックその他の透明部材を基材とする。対向基板５は、封止材料を挟んで支持基板３の表面を封止する部材である。なお、有機ＥＬパネルの発光方式がトップエミッション方式を採用する場合、対向基板５が封止基板に相当する。また、有機ＥＬパネルの発光方式がボトムエミッション方式を採用する場合、対向基板５が回路基板に相当する。
【００３２】
なお、基板の透明性は光の射出側だけ確保されていれば良く、他方の基板側は不透性の基板でも良い。
この他、有機ＥＬパネル１には、外部信号や駆動電源を入力するためのＦＰＣ（フレキシブルプリントサーキット）７が必要に応じて配置される。
【００３３】
（Ｂ）形態例１
（Ｂ−１）システム構成
図４に、この形態例に係る有機ＥＬパネル１１のシステム構成例を示す。有機ＥＬパネル１１は、画素アレイ部１３と、信号線を駆動する信号線駆動部１５と、制御線を駆動する制御線駆動部１７と、信号処理部１９と、点灯条件設定部２１とをガラス基板上に配置した構成を有している。もっとも、実際の回路では、図４に示す一部回路のみを同一基板上に配置し、その他の回路は別基板等に配置しても良い。
【００３４】
（ａ）画素アレイ部
画素アレイ部３は、図５に示すように、発光領域の最小単位であるサブ画素３１をＭ行×Ｎ列に配置したマトリクス構造を有している。ここでのサブ画素３１は、例えばホワイトユニットを形成する３原色に対応するＲ画素、Ｇ画素、Ｂ画素に対応する。また、ＭとＮは、垂直方向の表示解像度と水平方向の表示解像度に応じて定まる。
【００３５】
図６に、アクティブマトリクス駆動に対応するサブ画素３１の画素回路例を示す。なお、この種の画素回路には、実に様々な回路構成が提案されている。図６は、これらのうち最も単純な回路構成の一つを表している。
【００３６】
図６の場合、画素回路は、サンプリング動作を制御する薄膜トランジスタ（以下、「サンプリングトランジスタ」という。）Ｔ１と、駆動電流の供給動作を制御する薄膜トランジスタ（以下、「駆動トランジスタ」という。）Ｔ２と、保持容量Ｃｓと、有機ＥＬ素子ＯＬＥＤとで構成される。
【００３７】
図６の場合、サンプリングトランジスタＴ１と駆動トランジスタＴ２はＮチャネルＭＯＳトランジスタで構成される。なお、サンプリングトランジスタＴ１は、ゲート電極に接続された書込制御線ＷＳＬにより動作状態が制御される。サンプリングトランジスタＴ１がオン状態のとき、画素データに対応する信号電位Ｖsig が信号線ＤＴＬを通じて保持容量Ｃｓに書き込まれる。保持容量Ｃｓは、書き込まれた信号電位Ｖsig を１フィールド期間保持する。
【００３８】
保持容量Ｃｓは、駆動トランジスタＴ２のゲート電極とソース電極間に接続される容量性負荷である。保持容量Ｃｓに保持された信号電位Ｖsig が、駆動トランジスタＴ２のゲート・ソース間電圧Ｖgsを与える。この電圧に相当する信号電流Ｉsig が、電流供給線としての点灯制御線ＬＳＬから引き込まれ、有機ＥＬ素子ＯＬＥＤに供給される。
【００３９】
なお、信号電流Ｉsig が大きいほど、有機ＥＬ素子ＯＬＥＤに流れる電流は大きくなり、発光輝度が高くなる。すなわち、信号電流Ｉsig の大きさにより階調が表現される。この信号電流Ｉsig の供給が続く限り、有機ＥＬ素子ＯＬＥＤの所定輝度による発光状態が継続される。
【００４０】
因みに、点灯制御線ＬＳＬは２種類の電位で駆動され、この２値駆動により信号電流Ｉsig
の供給と停止が制御される。
具体的には、点灯制御線ＬＳＬが高電圧ＶＤＤに制御されている間（すなわち、点灯期間）、有機ＥＬ素子ＯＬＥＤに信号電流Ｉsig が流れ、有機ＥＬ素子ＯＬＥＤが点灯状態に制御される。
【００４１】
一方、点灯制御線ＬＳＬが低電圧ＶＳＳ２（＜ＶＳＳ１）に制御されている間（すなわち、非点灯期間）、有機ＥＬ素子ＯＬＥＤへの信号電流Ｉsig の供給が停止され、有機ＥＬ素子ＯＬＥＤが非点灯状態に制御される。このように、１フィールド期間内の点灯期間長は、点灯制御線ＬＳＬを通じて制御される。
【００４２】
（ｂ）パネル駆動部
信号線駆動部１５は、水平同期タイミング及び垂直同期タイミングに従って、信号線ＤＴＬに各画素の階調情報に対応する信号電位Ｖsig を印加する回路デバイスである。
制御線駆動部１７は、水平同期タイミング及び垂直同期タイミングに従って、書込制御線ＷＳＬ及び点灯制御線ＬＳＬに制御信号を印加する回路デバイスである。
【００４３】
この形態例の場合、信号線駆動部１５は、書込制御線ＷＳＬを駆動する第１の信号線駆動部２３と、点灯制御線ＬＳＬを駆動する第２の信号線駆動部２５とで構成される。
第１の信号線駆動部２３は、信号電位Ｖsig の書込タイミングその他において、サンプリングトランジスタＴ１をオン制御する回路デバイスである。
【００４４】
因みに、書込タイミング以外のオン制御は、例えば駆動トランジスタＴ２の閾値電圧Ｖthに相当する電圧を保持容量Ｃｓに書き込む補正動作時に実行される。
第２の信号線駆動部２５は、閾値電圧の補正動作時、信号電位Ｖsig の書込動作時及び点灯期間に点灯制御線ＬＳＬを高電位ＶＤＤに制御する回路デバイスである。
【００４５】
（ｃ）信号処理部
信号処理部１９は、表示形態に応じた信号フォーマットの変換処理、ガンマ変換処理、同期処理その他の処理を実行する回路デバイスである。なお、信号処理部１９には、既知の回路デバイスを適用する。
【００４６】
（ｄ）点灯条件設定部
点灯条件設定部２１は、入力画像データの特性を検出し、検出結果に基づいて表示画像に適した点灯条件（点灯期間の数、配置位置、期間長）を設定する回路デバイスである。
【００４７】
図７に、点灯条件設定部２１の内部構成例を示す。この形態例に係る点灯条件設定部２１は、１フィールド平均輝度レベル算出部４１、ピーク輝度制御部４３、特徴成分検出部４５、発光モード判定部４７、ユーザ設定部４９、発光モードＬＵＴ５１、点灯期間設定部５３及び駆動タイミング発生部５５で構成される。
【００４８】
(i) １フィールド平均輝度レベル算出部
１フィールド平均輝度レベル算出部４１は、１フィールド画面を構成する全画素に対応する入力画像データの平均輝度レベルを算出する回路デバイスである。因みに、入力画像データは、Ｒ（赤）画素データ、Ｇ（緑）画素データ、Ｂ（青）画素データのデータ形式により与えられる。
【００４９】
このため、１フィールド平均輝度レベル算出部４１は、平均輝度レベルの算出に際し、まず各画素に対応するＲ画素データ、Ｇ画素データ、Ｂ画素データを輝度レベルに変換する。また、ここでの平均輝度レベルは、１フィールド毎に算出値を後段に出力しても良いし、複数フィールド単位の平均値を後段に出力しても良い。
【００５０】
(ii)ピーク輝度制御部
ピーク輝度制御部４３は、算出された平均輝度レベルに基づいて該当フィールド画面の表示に使用するピーク輝度レベルを設定する回路デバイスである。例えば平均輝度レベルの低いフィールド画面には、ダイナミックレンジの高値にピーク輝度レベルを設定する。この種の画面には、夜空に星が点在するような画面が該当する。この種の画面でピーク輝度レベルを低く設定したのでは、星の輝きを表現できないためである。
【００５１】
一方、例えば平均輝度レベルの高いフィールド画面には、ダイナミックレンジの中間値にピーク輝度レベルを設定する。
なお、この形態例の場合には、平均輝度レベルのみを参照してピーク輝度レベルを設定しているが、その他の情報を参照することも可能である。
【００５２】
(iii) 特徴成分検出部
特徴成分検出部４５は、入力画像データの特徴成分を検出する回路デバイスである。ここでの特徴成分は、動きの有無、動画ボケ成分のレベル、フリッカ成分のレベル等である。図８に、特徴成分検出部４５の内部構成例を示す。図８に示す特徴成分検出部４５は、静止画判定部６１、動画ボケ成分検出部６３、フリッカ成分検出部６５で構成される。以下、各部の内容を説明する。
【００５３】
静止画判定部６１は、フィールド画面が動画か静止画かを入力画像データに基づいて判定する回路デバイスである。図９に、静止画判定部６１のシステム例を示す。図９の場合、静止画判定部６１は、フィールドメモリ７１、動き量検出部７３、静止画／動画判定部７５で構成される。
【００５４】
このうち、動き量検出部７３は、入力画像データに基づいて動き量を検出する処理機能部に対応する。昨今では、動き検出技術として、コムフィルタを用いる動き検出システムやフレーム補間用の動き検出システム等が実用化されている。基本的には、動き量検出部７３として、これらの既存の動き検出システムを使用する。
【００５５】
もっとも、数フィールドから数百フィールドの入力画像データを比較し、それらの変化量が微量であれば静止画と判定する簡易型のシステムを使用することもできる。
なお、この形態例の場合、動き量検出部７３には動き量の検出機能さえ搭載されていれば良く、動き方向の検出機能は有していなくても良い。
【００５６】
静止画／動画判定部７５は、検出結果に基づいて、該当画像が静止画像か動画像かを判定する処理機能部に対応する。基本的に動き量がゼロの画像を静止画像と判定するが、動き量が非常に小さい画像も静止画像と判定する。ここでの判定閾値は、経験等を加味した設計上の値として与えられる。
【００５７】
この形態例の場合、静止画像と判定された画像以外は全て動画像と判定される。しかし、適用するシステムによっては、動き量の大きさ情報を判定結果に含める方法（動き量が大きいか小さいかの２値で表す方法）や、テロップ付きの画像か否かを判定結果に含める方法を採用することもできる。
【００５８】
動画ボケ成分検出部６３は、フィールド画面に含まれる動画ボケ成分量を判定する回路デバイスである。図１０に、動画ボケ成分検出部６３のシステム例を示す。図１０の場合、動画ボケ成分検出部６３は、フィールドメモリ８１、動き量検出部８３、動画ボケ強度判定部８５で構成される。
【００５９】
このうち、フィールドメモリ８１と動き量検出部８３の構成は、静止画判定部６１を構成する同機能部と同じものを使用する。
動画ボケ強度判定部８５は、検出された動き量に基づいて、動画ボケの発生度合い（レベル）を判定する処理機能部に対応する。
【００６０】
基本的に動き量が大きいほど判定レベルは高くなる。この形態例の場合、動画ボケ強度判定部８５は、２種類の判定用閾値を有し、当該閾値との比較結果に基づいて３種類のうちいずれか一つの判定レベルを出力する。
【００６１】
フリッカ成分検出部６５は、フィールド画面に含まれるフリッカ成分量を判定する回路デバイスである。因みに、画面上でフリッカが認識され易いのは、点灯状態と非点灯状態との輝度差が一定以上の場合にあって、その表示領域が一定以上の広がりを有する面として認識される場合である。
【００６２】
この判定のため、フリッカ成分検出部６５は、フリッカとして認識され易い発光輝度を発生させる入力画像データか否かを検出する処理と、該当輝度を有する画素が一定の面積を有する領域として存在するか否かを判定する処理とを実行する。
【００６３】
この形態例では、例えば最大階調値を１００％とする場合の５０％以上の階調値を、フリッカが識別され易い階調値（判定閾値）として使用する。また例えば、表示領域の全体を１００％とする場合の１０％以上の画素領域を、フリッカが識別され易い領域範囲（判定閾値）として使用する。
【００６４】
図１１に、フリッカ成分検出部６５のシステム例を示す。図１１の場合、フリッカ成分検出部６５は、ＲＧＢレベル検出電流比調整部９１、輝度レベル算出部９３、平均輝度レベル算出部９５、フリッカ成分ブロック検出部９７、フリッカ強度判定部９９で構成される。
【００６５】
このうち、ＲＧＢレベル検出電流比調整部９１は、輝度レベルの算出用にＲ画素、Ｇ画素、Ｂ画素に対応する入力画像データを対応する視感度に応じた輝度レベルに変換する処理機能部である。
輝度レベル算出部９３は、算出された原色別の輝度レベルに基づいて１画素単位の輝度レベルを算出する処理機能部である。
【００６６】
平均輝度レベル算出部９５は、画素単位の輝度レベルに基づいてブロック単位の平均輝度レベルを算出する処理機能部である。平均輝度レベルの算出単位であるブロックは、１ブロック内の画素数が表示画面全体の画素数の１０％以下になるように設定する。図１２に、ブロックの設定例を示す。図１２は、１画面を水平方向に８個、垂直方向に６個の計４８個に分割する例を表している。
【００６７】
１ブロックの大きさは小さいほど正確な判定が可能になるが、ブロック数が多くなると判定時の処理量が大きくなる。
フリッカ成分ブロック検出部９７は、平均輝度レベル（階調値）が５０％以上のブロックが複数隣接して画面全体の１０％以上の領域を形成するか否かを検出すると共に、当該領域の大きさや数を検出する処理機能部である。
【００６８】
フリッカ強度判定部９９は、検出結果に基づいて、フリッカの発生度合い（レベル）を判定する処理機能部に対応する。
基本的に、フリッカが識別され易い条件を満たす領域の面積が大きいほど、又は１画面内に現れる同条件を満たす領域が多いほど、フリッカの発生度合いは大きくなる。
この形態例の場合、フリッカ強度判定部９９は、２種類の判定用閾値を有し、当該閾値との比較結果に基づいて３種類のうちいずれか一つの判定レベルを出力する。
【００６９】
(iv)発光モード判定部
発光モード判定部４７は、検出された特徴成分（動き判定結果、動画ボケレベル、フリッカレベル）に基づいて、対象画面の表示に使用する発光モードを判定する回路デバイスである。
【００７０】
図１３に、この形態例で採用する発光モード判定部４７の判定動作例を示す。
まず、発光モード判定部４７は、対象画像が静止画か否かを判定する（ステップＳ１）。ここで、肯定結果が得られた場合（静止画の場合）、発光モード判定部４７は、対象画像の発光モードを静止画モードに設定する（ステップＳ２）。
【００７１】
一方、ステップＳＰ１で否定結果が得られた場合（動画の場合）、発光モード判定部４７は、対象画像（フィールド）の平均輝度レベルの大きさに基づいて発光モードを判定する（ステップＳ３）。
平均輝度レベルが第１の閾値より小さい場合、発光モード判定部４７は、対象画像の発光モードを動画重視モードに設定する（ステップＳ４）。
【００７２】
平均輝度レベルが第１の閾値以上、かつ、第２の閾値より小さい場合、発光モード判定部４７は、対象画像の発光モードをバランスモードに設定する（ステップＳ５）。
平均輝度レベルが第２の閾値以上の場合、発光モード判定部４７は、対象画像の発光モードをフリッカ重視モードに設定する（ステップＳ６）。
【００７３】
因みに、動画重視モードとは、動画ボケの発生が抑制されるように、特定の点灯期間の近くに、当該特定の点灯期間よりも期間長の短い点灯期間を配置する発光モードをいう。
また、フリッカ重視モードとは、複数の点灯期間が１フィールド期間全体に分散的に配置する発光モードをいう。
【００７４】
また、バランスモードは、動画重視モードとフリッカ重視モードの中間的な点灯期間の配置が採用される発光モードをいう。
なお、この形態例の場合、動画重視モードとフリッカ重視モードについては、動画ボケの検出レベルやフリッカの検出レベルに応じて、３段階のうちの１つを設定する。
【００７５】
(v) ユーザ設定部
ユーザ設定部４９は、ユーザの好みを点灯期間の設定動作に反映させるために配置される回路デバイスである。すなわち、操作画面を通じて受け付けた表示画質に対するユーザの好みを記憶領域に保持する回路デバイスである。
【００７６】
表示画質に対するユーザの好みとしては、例えば動画の表示品質を重視するかとか、静止画の表示品質を重視する等の情報の他、動画ボケとフリッカのいずれを重視するかと言った情報も含む。
【００７７】
(vi)発光モードＬＵＴ
発光モードＬＵＴ５１は、各発光モードに適した点灯期間の数、配置、期間長の関係を保持するテーブル形式の記憶領域である。この形態例の場合、発光モードＬＵＴ５１は、例えばピーク輝度レベルと発光モードの組み合わせパターンに、点灯期間と非点灯期間の配置位置（タイミング）を関連付けたテーブルを格納する。
【００７８】
もっとも、発光モードＬＵＴ５１には、例えばピーク輝度レベルと発光モードの組み合わせパターンに適した点灯期間の配置を求めるための算出式を格納しても良い。
【００７９】
(vii) 点灯期間設定部
点灯期間設定部４９は、入力画像データに応じて設定されるピーク輝度レベルが得られるように、判別された発光モードについて規定された設定条件に従って、１フィールド期間内に配置される点灯期間の数、配置位置及び期間長を具体的に設定する回路デバイスをいう。
【００８０】
この設定動作には、ユーザの設定情報や発光モードＬＵＴも参照する。
図１４に、点灯期間設定部４９による点灯期間の設定イメージを示す。なお、図１４は、発光モードと発光イメージの関係と、これら発光イメージと個々の特徴成分との関係を表している。
【００８１】
図中、動画重視１は、動きが最も大きい画像の表示に適した発光モードを意味する。動画重視２は、次に動きが大きい画像の表示に適した発光モードを意味し、動画重視３は、その次に動きが大きい画像の表示に適した発光モードを意味する。
【００８２】
図１４に示すように、動画重視１→動画重視２→動画重視３の順番に、出現範囲が広がるように点灯期間の配置位置が設定される。
一方、フリッカ重視モードは、動画重視モードとは逆の関係を意味する。例えばフリッカ重視１は、フリッカが視認され易い画像の中では最もフリッカの程度が少ない画像の表示に適した発光モードを意味する。
【００８３】
フリッカ重視２は、フリッカが視認され易い画像の中では最もフリッカの程度が２番目に少ない画像の表示に適した発光モードを意味する。
そして、フリッカ重視３は、フリッカが視認され易い画像の中では最もフリッカの程度が多い画像の表示に適した発光モードを意味する。
【００８４】
図１４に示すように、フリッカ重視１→フリッカ重視２→フリッカ重視３の順番に、出現範囲が広がるように点灯期間の配置位置が設定される。
なお、バランスモードは、動画重視３とフリッカ重視１の中間の関係にある。
【００８５】
図１４は、１フィールド期間内に配置する点灯期間の数が７つの場合であるが、どの発光モードの場合にも、先頭から４番目の点灯期間の期間長が最も長い関係にある。そして、この４番目の点灯期間を中心に左右対称に期間長が徐々に短くなるように各点灯期間の期間長が設定される。
【００８６】
因みに、先頭から４番目に位置する点灯期間の期間長は、動画重視１が最も大きく、以下、動画重視２、動画重視３、バランス系、フリッカ重視１、フリッカ重視２、フリッカ重視３の順番に短くなるように設定される。
【００８７】
これら点灯期間の数、配置位置及び期間長の関係が駆動タイミング発生部５５に出力される。
なお、総点灯期間長は、ピーク輝度制御部４３から与えられるピーク輝度レベルに応じて設定される。
【００８８】
このため、前述した点灯期間の数、配置位置及び期間長は、総点灯期間長を満たすように設定される。従って、１フィールド期間に配置される点灯期間の数が複数の場合、総点灯期間長はこれら各期間長の総和に一致する。
【００８９】
(viii)駆動タイミング発生部
駆動タイミング発生部５５は、設定された点灯期間の数、配置位置及び期間長に従って、駆動パルス（点灯期間のスタートパルスＳＴ、エンドパルスＥＴ）を発生する回路デバイスである。なお、駆動タイミング発生部５５で発生された駆動パルスは、点灯制御線ＬＳＬを駆動する第２の制御線駆動部２５に出力される。
【００９０】
（Ｂ−２）発光状態の制御動作例
以下では、点灯条件設定部２１を用いた発光状態の制御動作例を説明する。
ただし、以下の動作例では、表示画像のフレームレートが２４Ｈｚ〜６０Ｈｚの範囲で与えられる場合を想定する。
【００９１】
なお、静止画モードと動画重視モード１を除く他の発光モードでは、発光中心が点灯期間長の可変範囲の中央になるように各点灯期間の期間長を設定するものとする。
また、静止画モードと動画重視モード１を除く他の発光モードでは、各点灯期間の期間長は、事前に設定された比率を満たすように、外部から与えられる総点灯期間長に応じて設定されるものとする。
【００９２】
従って、以下の各設定例（静止画モードと動画重視１を除く。）では、Ｎ個の点灯期間には、配列上の中心に近いほど大きい比率が割り当てられるものとする。すなわち、配列上の中心に近い点灯期間ほど期間長が長くなり、配列上の周辺に近い点灯期間ほど期間長が短くなるように設定されるものとする。かくして、ユーザには、１フィールド期間内の明領域が一つの塊として視認され易くなる。
【００９３】
また、以下の各設定例（静止画モードと動画重視モード１を除く。）では、総点灯期間長が変化したとしても、各点灯期間の期間長の関係は、一定の比率を常に満たすことになる。
従って、総点灯期間長によらず明領域の見え方を同じにでき、ユーザに違和感を与える事態を回避することができる。
【００９４】
また、静止画モードと動画重視モード１を除く各発光モードにおいては、１フィールド期間内で最初に出現する点灯期間の開始タイミングと、１フィールド期間内で最後に出現する点灯期間の終了タイミングを、総点灯期間長の最大値に応じて固定的に設定するものとする。
【００９５】
具体的には、１フィールド期間の全体を１００％で表すとき、最初に出現する点灯期間の開始タイミングを０％に固定し、最後に出現する点灯期間の終了タイミングを総点灯期間長の最大値に固定するものとする。
【００９６】
以下、具体例を順番に説明する。なお、以下の説明では、各点灯期間に割り当てる比率は事前に設定されているものとするが、外部からの制御により変更できることが望ましい。また、点灯期間の最大可変範囲は、発光モード毎に事前に設定される。
【００９７】
（ａ）静止画モードと判定された場合
図１５に、静止画モードと判定された場合の点灯期間の配置例を示す。図１５は、１フィールド期間内に２つの点灯期間を配置する場合の例である。
【００９８】
図１５（Ａ）は、総点灯期間長が非常に短い場合の例である。図１５（Ｂ）は、非点灯期間長が２５％の例である。図１５（Ｃ）は、非点灯期間長が５０％の例である。
図１５に示すように、１回目の点灯期間の開始タイミングは１フィールド期間内の０％に固定されており、２回目の点灯期間の開始タイミングは１フィールド期間内の５０％に固定されている。
【００９９】
そして、１番目の点灯期間と２番目の点灯期間の期間長の比は１対１（すなわち、均等）に設定されている。なお、静止画と判定される範囲内でも、動きが多い場合には点灯期間の数を増やし、動きが少ない場合には点灯期間の数を少なくするのが望ましい。
【０１００】
因みに、図１５の場合、総点灯期間長が１フィールド期間のＡ％で与えられるとすると、各点灯期間と非点灯期間の期間長は、次式により与えられる。
以下では、１番目と２番目の点灯期間の各期間長をＴ１とし、２つの非点灯期間の期間長をＴ２とする。
Ｔ１＝Ａ％／２
Ｔ２＝（１００ーＡ％）／２
【０１０１】
（ｂ）動画重視モード１と判定された場合
図１６に、動画重視モード１と判定された場合の点灯期間の配置例を示す。図１６は、１フィールド期間内に１つの点灯期間を配置する場合の例である。なお、図１６は、総点灯期間長の最大値が１フィールド期間の７５％に設定されている場合について表している。このため、点灯期間は、１フィールド期間の０％〜７５％の範囲で可変される。また、１フィールド期間の７５％から１００％の間は、常に非点灯期間が配置される。
【０１０２】
図１６（Ａ）は、総点灯期間長が非常に短い場合の例である。図１６（Ｂ）は、非点灯期間長が２５％の例である。図１６（Ｃ）は、非点灯期間長が５０％の例である。図１６（Ｄ）は、非点灯期間長が７５％の例である。
図１６に示すように、点灯期間の開始タイミングは１フィールド期間内の０％に固定されている。
【０１０３】
なお、図１６の場合、総点灯期間長が１フィールド期間のＡ％で与えられるとすると、各点灯期間と非点灯期間の期間長は、次式により与えられる。
以下では、点灯期間長をＴ１とし、非点灯期間の期間長をＴ２とする。
Ｔ１＝Ａ％
Ｔ２＝１００ーＡ％
【０１０４】
（ｃ）動画重視モード２又は３と判定された場合
図１７に、動画重視モード２又は３と判定された場合の点灯期間の配置例を示す。図１７は、１フィールド期間内に７つの点灯期間を配置する場合の例である。なお、図１７の場合、各点灯期間の期間長は、出現順序の早い方から順番に１：２：３：８：３：２：１の比率に設定されるものとする。
【０１０５】
図１７は、この場合における各点灯期間の配置と総点灯期間長の変化に伴う各期間長の変化を示す。
図１７は、総点灯期間長の最大値が１フィールド期間の７５％に設定されている場合について表している。このため、点灯期間は、１フィールド期間の０％〜７５％の範囲で可変される。また、１フィールド期間の７５％から１００％の間は、常に非点灯期間が配置される。
【０１０６】
なお、総点灯期間長が非常に短い場合（図１７（Ａ））には、１つの点灯期間だけで期間長が可変される。
因みに、総点灯期間長が設定長以上の場合、１フィールド期間内に７つの点灯期間が設定される。
【０１０７】
この場合、１番目の点灯期間の開始タイミングは０％に固定され、７番目の点灯期間の終了タイミングは７５％に固定される。
なお、この設定例の場合も、各点灯期間の間に配置される非点灯期間は、中央側ほど短くなるように点灯期間とは逆の比率に設定されているものとする。
【０１０８】
この場合、総点灯期間長が増加すると、可変範囲の中心である４番目の１フィールド期間内の３７．５％に対して左右対称になるように各点灯期間の期間長が変化する。
勿論、各点灯期間の期間長は、１：２：３：８：３：２：１の比を満たした状態のまま変化する。そして、総点灯期間長が最大値に達すると（図１７（Ｄ））、全ての点灯期間が１つに結合する。
【０１０９】
このとき、総点灯期間長が１フィールド期間のＡ％で与えられるとすると、各点灯期間と非点灯期間の期間長は、次式により与えられる。
以下では、１番目と７番目の点灯期間の各期間長をＴ１、２番目と６番目の点灯期間の期間長をＴ２、３番目と５番目の点灯期間の期間長をＴ３、４番目の点灯期間の期間長をＴ４とする。
【０１１０】
また、１番目と６番目の非点灯期間の期間長をＴ５、２番目と５番目の非点灯期間の期間長をＴ６、３番目と４番目の非点灯期間の期間長をＴ７とする。
Ｔ１＝Ａ％／２０
Ｔ２＝（Ａ％／２０）＊２
Ｔ３＝（Ａ％／２０）＊３
Ｔ４＝（Ａ％／２０）＊８
【０１１１】
Ｔ５＝（７５％−Ａ％）／１２
Ｔ６＝（（７５％−Ａ％）／１２）＊２
Ｔ７＝（（７５％−Ａ％）／１２）＊３
【０１１２】
なお、個々の点灯期間長は同じでも非点灯期間長を可変すると、表示性能を調整することができる。例えば１番目と７番目の点灯期間と２番目と６番目の点灯期間の隙間（非点灯期間）を等間隔より広げる一方で、３番目と５番目の点灯期間と４番目の点灯期間の隙間（非点灯期間）を等間隔より縮めれば、動画表示性能の若干の低下と引き替えにフリッカの視認性を改善することができる。
【０１１３】
この場合における非点灯期間は、例えば次式で与えることができる。
Ｔ５＝（（７５％−Ａ％）／６）＊1.25
Ｔ６＝（７５％−Ａ％）／６
Ｔ７＝（（７５％−Ａ％）／６）＊0.75
【０１１４】
（ｄ）バランスモードと判定された場合
図１８に、バランスモードと判定された場合の点灯期間の配置例を示す。図１８も、１フィールド期間内に７つの点灯期間を配置する場合の例である。図１８の場合、各点灯期間の期間長は、出現順序の早い方から順番に１：２：３：８：３：２：１の比率に設定されるものとする。
【０１１５】
ただし、図１８の場合には、総点灯期間長の最大値が１フィールド期間の８５％と、動画重視モードよりも広く設定されている。これは、画面に含まれるフリッカ成分が増えるためである。
この例の場合、１フィールド期間の８５％から１００％の間には、常に非点灯期間が配置される。
【０１１６】
なお、総点灯期間長が非常に短い場合（図１８（Ａ））には、１つの点灯期間だけで期間長が可変される。
因みに、総点灯期間長が設定長以上の場合、１フィールド期間内に７つの点灯期間が設定される。
【０１１７】
この場合、１番目の点灯期間の開始タイミングは０％に固定され、７番目の点灯期間の終了タイミングは８５％に固定される。
なお、この設定例の場合、各点灯期間の間に配置される非点灯期間は、全て同じ比率に設定されているものとする。
【０１１８】
この場合、総点灯期間長が増加すると、可変範囲の中心である４番目の１フィールド期間内の４２．５％に対して左右対称になるように各点灯期間の期間長が変化する。
勿論、各点灯期間の期間長は、１：２：３：８：３：２：１の比を満たした状態のまま変化する。そして、総点灯期間長が最大値に達すると（図１８（Ｄ））、全ての点灯期間が１つに結合する。
【０１１９】
このとき、総点灯期間長が１フィールド期間のＡ％で与えられるとすると、各点灯期間と非点灯期間の期間長は、次式により与えられる。
以下では、１番目と７番目の点灯期間の各期間長をＴ１、２番目と６番目の点灯期間の期間長をＴ２、３番目と５番目の点灯期間の期間長をＴ３、４番目の点灯期間の期間長をＴ４とする。また、非点灯期間の期間長をＴ５とする。
【０１２０】
Ｔ１＝Ａ％／２０
Ｔ２＝（Ａ％／２０）＊２
Ｔ３＝（Ａ％／２０）＊３
Ｔ４＝（Ａ％／２０）＊８
Ｔ５＝（８５％−Ａ％）／６
【０１２１】
（ｅ）フリッカ重視モードと判定された場合
図１９に、フリッカ重視モードと判定された場合の点灯期間の配置例を示す。図１９も、１フィールド期間内に７つの点灯期間を配置する場合の例である。図１９の場合、各点灯期間の期間長は、出現順序の早い方から順番に１：1.25： 1.5： 2.5： 1.5：1.25：１の比率に設定されるものとする。
【０１２２】
ただし、図１９の場合には、総点灯期間長の最大値が１フィールド期間の９０％と、バランスモードよりも更に広く設定されている。これは、画面に含まれるフリッカ成分が更に増えるためである。
この例の場合、１フィールド期間の９０％から１００％の間には、常に非点灯期間が配置される。
【０１２３】
なお、総点灯期間長が非常に短い場合（図１９（Ａ））には、１つの点灯期間だけで期間長が可変される。
因みに、総点灯期間長が設定長以上の場合、１フィールド期間内に７つの点灯期間が設定される。
【０１２４】
この場合、１番目の点灯期間の開始タイミングは０％に固定され、７番目の点灯期間の終了タイミングは９０％に固定される。
なお、この設定例の場合、各点灯期間の間に配置される非点灯期間は、全て同じ比率に設定されているものとする。
【０１２５】
この場合、総点灯期間長が増加すると、可変範囲の中心である４番目の１フィールド期間内の４５％に対して左右対称になるように各点灯期間の期間長が変化する。
勿論、各点灯期間の期間長は、１：1.25： 1.5： 2.5： 1.5：1.25：１の比を満たした状態のまま変化する。そして、総点灯期間長が最大値に達すると（図１９（Ｄ））、全ての点灯期間が１つに結合する。
【０１２６】
このとき、総点灯期間長が１フィールド期間のＡ％で与えられるとすると、各点灯期間と非点灯期間の期間長は、次式により与えられる。
以下では、１番目と７番目の点灯期間の各期間長をＴ１、２番目と６番目の点灯期間の期間長をＴ２、３番目と５番目の点灯期間の期間長をＴ３、４番目の点灯期間の期間長をＴ４とする。また、非点灯期間の期間長をＴ５とする。
【０１２７】
Ｔ１＝Ａ％／１０
Ｔ２＝（Ａ％／１０）＊1.25
Ｔ３＝（Ａ％／１０）＊1.5
Ｔ４＝（Ａ％／１０）＊2.5
Ｔ５＝（８５％−Ａ％）／６
【０１２８】
なお、個々の点灯期間長は同じでも非点灯期間長を可変すると、表示性能を調整することができる。例えば１番目と７番目の点灯期間と２番目と６番目の点灯期間の隙間（非点灯期間）を等間隔より広げる一方で、３番目と５番目の点灯期間と４番目の点灯期間の隙間（非点灯期間）を等間隔より縮めれば、動画表示性能の若干の低下と引き替えにフリッカの視認性を改善することができる。
【０１２９】
この場合における非点灯期間は、例えば次式で与えることができる。
Ｔ５＝（（７５％−Ａ％）／６）＊1.25
Ｔ６＝（７５％−Ａ％）／６
Ｔ７＝（（７５％−Ａ％）／６）＊0.75
【０１３０】
（Ｃ）他の形態例
（Ｃ−１）点灯期間の可変方法１
前述した形態の場合には、１番目の点灯期間の開始タイミングとＮ番目の点灯期間の終了タイミングを固定する場合について説明した。
【０１３１】
すなわち、１番目の点灯期間の開始タイミングを１フィールド期間の０％に設定し、Ｎ番目の点灯期間の終了タイミングを総点灯期間長の最大値に設定する場合について説明した。
しかし、１番目の点灯期間の開始タイミングとＮ番目の点灯期間の終了タイミングについても、他の点灯期間と同様に可変される設定方法を適用しても良い。
【０１３２】
図２０に、点灯期間数Ｎが３の場合についての各点灯期間の設定例を示す。図２０は、各点灯期間の期間長が、出現順序の早い方から順番に１：２：１の比率に設定される場合の例である。また、総点灯期間長の最大値が１フィールド期間の６０％の場合を想定する。この場合、１番目と３番目の点灯期間にそれぞれ１５％、２番目の点灯期間に３０％が割り当てられる。
【０１３３】
従って、図２０では、１番目の点灯期間については７．５％を中心に開始タイミングと終了タイミングを設定し、２番目の点灯期間については３０％を中心に開始タイミングと終了タイミングを設定し、３番目の点灯期間については５２．５％を中心に開始タイミングと終了タイミングを設定する。
【０１３４】
この場合、見かけ上の点灯期間は４５％〜６０％の範囲で、総点灯期間長に応じて可変制御されることになる。従って、フリッカが知覚されることはない。また、この場合、最低でも４０％の非点灯期間が確保され、最大では約５５％の連続した非点灯期間を確保できるため、動画応答性も高めることができる。
【０１３５】
（Ｃ−２）点灯期間の可変方法２
前述した形態の場合には、１番目の点灯期間の開始タイミングを１フィールド期間の０％に設定し、Ｎ番目の点灯期間の終了タイミングを総点灯期間長の最大値に設定する場合について説明した。
【０１３６】
しかし、点灯期間の可変範囲を１フィールド期間内のどの範囲に設定しても良い。
図２１に、前述した点灯期間の可変範囲をオフセットした例を示す。
図２１は点灯期間数Ｎが３の場合の設定例である。
【０１３７】
なお図２１は、総点灯期間長が６０％である場合に対応する例であり、１フィールド期間内の２０％から８０％の間に各点灯期間が設定されている。この図２１に示す設定方法でも、固定的な非点灯期間として４０％が常に確保される。
【０１３８】
（Ｃ−３）点灯期間の他の設定動作
前述した形態例の場合には、表示画像から検出された特徴成分に基づいて発光モードを設定する場合について説明した。もっとも、入力画像データの種類に基づいて、発光モードの判定閾値を調整する仕組みを採用しても良い。
ここでの入力画像データの種類には、例えば映画、コンピュータ画像、テレビ番組が考えられる。
【０１３９】
（Ｃ−４）他の表示デバイス例
前述した点灯期間の設定方法は、有機ＥＬパネル以外にも適用できる。例えば無機ＥＬパネル、ＬＥＤを配列する表示パネル、その他のダイオード構造を有するＥＬ素子を画面上に配列する自発光型の表示パネルにも適用できる。
【０１４０】
また、前述した点灯期間の設定方法は、ＥＬ素子をバックライト光源に使用する液晶ディスプレイパネルやその他の非自発光型の表示パネルにも適用することができる。
図２２に、液晶パネル１０１のシステム構成例を示す。なお、図２２は、図４との対応部分に同一符号を付して示す。
【０１４１】
図２２に示す液晶パネル１０１は、ガラス基板上に画素アレイ部１０３と、信号線ＤＴＬを駆動する信号線駆動部１０５と、書込制御線ＷＳＬを駆動する制御線駆動部１０７と、信号処理部１９と、点灯条件設定部２１と、バックライト駆動部１０９とをガラス基板上に配置した構成を有している。この場合も、ガラス基板上には、一部の回路部だけを搭載し、他の回路部は他の基板上に搭載しても良い。
【０１４２】
図２３に、画素アレイ部１０３とその周辺回路との接続関係を示す。画素アレイ部１０３の周辺には、その駆動回路である信号線駆動部１０５と制御線駆動部１０７が配置される。
【０１４３】
画素アレイ部１０３は、サブ画素１２１をマトリクス状に配置した画素構造を有し、液晶シャッターとして機能する。この場合、サブ画素１２１は、階調情報に対応する信号電位Ｖsig に基づいて、バックライト光の透過量（遮断も含む）を制御する。
【０１４４】
図２４に、サブ画素１２１の画素構造を示す。サブ画素１２１は、薄膜トランジスタ（以下「サンプリングトランジスタ」という。）Ｔ１と、信号電位Ｖsig を保持する液晶容量ＣＬｃとで構成される。ここで、液晶容量ＣＬｃは、画素電極１２３と対向電極１２５で液晶Ｌｃを両側から挟んだ構造を有している。
【０１４５】
信号線駆動部１０５は、サンプリングトランジスタＴ１の一方の主電極が接続される信号線ＤＴＬに信号電位Ｖsig を印加する回路デバイスである。一方、制御線駆動部１０７は、サンプリングトランジスタＴ１のゲート電極に接続された書込制御線ＷＳＬを２値電位で駆動する回路デバイスである。
【０１４６】
バックライト駆動部１０９は、点灯条件設定部２１から供給される駆動パルス（開始パルスＳＴ、終了パルスＥＴ）に基づいてＬＥＤ１１１を駆動する回路デバイスである。このバックライト駆動部１０９は、点灯期間に駆動電流をＬＥＤ１１１に供給し、非点灯期間には駆動電流のＬＥＤ１１１への供給を停止するように動作する。ここでのバックライト駆動部１０９は、例えば電流供給線に対して直列に接続されたスイッチとして実現できる。
【０１４７】
（Ｃ−５）製品例（電子機器）
前述の説明では、形態例に係る点灯期間の設定機能を搭載した有機ＥＬパネルを例に発明を説明した。しかし、この種の設定機能を搭載する有機ＥＬパネルその他の表示パネルは、各種の電子機器に実装した商品形態でも流通される。以下、他の電子機器への実装例を示す。
【０１４８】
図２５に、電子機器１３１の概念構成例を示す。電子機器１３１は、前述した点灯期間の設定機能を搭載した表示パネル１３３、システム制御部１３５及び操作入力部１３７で構成される。システム制御部１３５で実行される処理内容は、電子機器１３１の商品形態により異なる。また、操作入力部１３７は、システム制御部１３５に対する操作入力を受け付けるデバイスである。操作入力部１３７には、例えばスイッチ、ボタンその他の機械式インターフェース、グラフィックインターフェース等が用いられる。
【０１４９】
なお、電子機器１３１は、機器内で生成される又は外部から入力される画像や映像を表示する機能を搭載していれば、特定の分野の機器には限定されない。
図２６に、その他の電子機器がテレビジョン受像機の場合の外観例を示す。テレビジョン受像機１４１の筐体正面には、フロントパネル１４３及びフィルターガラス１４５等で構成される表示画面１４７が配置される。表示画面１４７の部分が表示パネル１３３に対応する。
【０１５０】
また、この種の電子機器１３１には、例えばデジタルカメラが想定される。図２７に、デジタルカメラ１５１の外観例を示す。図２７（Ａ）が正面側（被写体側）の外観例であり、図２７（Ｂ）が背面側（撮影者側）の外観例である。
【０１５１】
デジタルカメラ１５１は、保護カバー１５３、撮像レンズ部１５５、表示画面１５７、コントロールスイッチ１５９及びシャッターボタン１６１で構成される。このうち、表示画面１５７の部分が表示パネル１３３に対応する
【０１５２】
また、この種の電子機器１３１には、例えばビデオカメラが想定される。図２８に、ビデオカメラ１７１の外観例を示す。
ビデオカメラ１７１は、本体１７３の前方に被写体を撮像する撮像レンズ１７５、撮影のスタート／ストップスイッチ１７７及び表示画面１７９で構成される。このうち、表示画面１７９の部分が表示パネル１３３に対応する。
【０１５３】
また、この種の電子機器１３１には、例えば携帯端末装置が想定される。図２９に、携帯端末装置としての携帯電話機１８１の外観例を示す。図２９に示す携帯電話機１８１は折りたたみ式であり、図２９（Ａ）が筐体を開いた状態の外観例であり、図２９（Ｂ）が筐体を折りたたんだ状態の外観例である。
【０１５４】
携帯電話機１８１は、上側筐体１８３、下側筐体１８５、連結部（この例ではヒンジ部）１８７、表示画面１８９、補助表示画面１９１、ピクチャーライト１９３及び撮像レンズ１９５で構成される。このうち、表示画面１８９及び補助表示画面１９１の部分が表示パネル１３３に対応する。
【０１５５】
また、この種の電子機器１３１には、例えばコンピュータが想定される。図３０に、ノート型コンピュータ２０１の外観例を示す。
ノート型コンピュータ２０１は、下型筐体２０３、上側筐体２０５、キーボード２０７及び表示画面２０９で構成される。このうち、表示画面２０９の部分が表示パネル１３３に対応する。
【０１５６】
これらの他、電子機器１３１には、オーディオ再生装置、ゲーム機、電子ブック、電子辞書等が想定される。
【０１５７】
（Ｃ−６）他の画素回路例
前述の説明では、アクティブマトリクス駆動型の画素回路例（図６、図２４）について説明した。
しかし、画素回路の構成は、これらに限られるものではなく、既存の又は将来提案される様々な構成の画素回路にも適用できる。
【０１５８】
（Ｃ−７）その他
前述した形態例には、発明の趣旨の範囲内で様々な変形例が考えられる。また、本明細書の記載に基づいて創作される又は組み合わせられる各種の変形例及び応用例も考えられる。
【図面の簡単な説明】
【０１５９】
【図１】１フィールド期間と点灯期間との関係を示す図である。
【図２】総点灯期間長とピーク輝度レベルとの関係を説明する図である。
【図３】有機ＥＬパネルの外観例を示す図である。
【図４】有機ＥＬパネルのシステム構成例を示す図である。
【図５】画素アレイ部の構成例を示す図である。
【図６】画素回路の構成例を示す図である。
【図７】点灯条件設定部の内部構成例を示す図である。
【図８】特徴成分検出部の内部構成例を示す図である。
【図９】静止画判定部の内部構成例を示す図である。
【図１０】動画ボケ成分検出部の内部構成例を示す図である。
【図１１】フリッカ成分検出部の内部構成例を示す図である。
【図１２】ブロックの設定例を示す図である。
【図１３】発光モード判定部の判定動作例を示す図である。
【図１４】点灯期間設定部による点灯期間の設定イメージ例を示す図である。
【図１５】静止画用の駆動タイミング例を示す図である。
【図１６】動画重視用の駆動タイミング例を示す図である。
【図１７】動画重視用の駆動タイミング例を示す図である。
【図１８】バランスモード用の駆動タイミング例を示す図である
【図１９】フリッカ重視用の駆動タイミング例を示す図である。
【図２０】他の駆動タイミング例を示す図である。
【図２１】他の駆動タイミング例を示す図である。
【図２２】液晶パネルのシステム構成例を示す図である。
【図２３】ＬＥＤとバックライト駆動部との接続関係を説明する図である。
【図２４】画素回路と駆動部との接続関係を説明する図である。
【図２５】電子機器の機能構成例を示す図である。
【図２６】電子機器の商品例を示す図である。
【図２７】電子機器の商品例を示す図である。
【図２８】電子機器の商品例を示す図である。
【図２９】電子機器の商品例を示す図である。
【図３０】電子機器の商品例を示す図である。
【符号の説明】
【０１６０】
１１          有機ＥＬパネル
１３          画素アレイ部
１５          信号線駆動部
１７          制御線駆動部
２１          点灯条件設定部
４５          特徴成分検出部
４７          発光モード判定部
５３          点灯期間設定部
６１          静止画判定部
６３          動画ボケ成分検出部
６５          フリッカ成分検出部
１０１        液晶パネル
【図１】
0005211732.tif 000002
【図２】
0005211732.tif 000003
【図３】
0005211732.tif 000004
【図４】
0005211732.tif 000005
【図５】
0005211732.tif 000006
【図６】
0005211732.tif 000007
【図７】
0005211732.tif 000008
【図８】
0005211732.tif 000009
【図９】
0005211732.tif 000010
【図１０】
0005211732.tif 000011
【図１１】
0005211732.tif 000012
【図１２】
0005211732.tif 000013
【図１３】
0005211732.tif 000014
【図１４】
0005211732.tif 000015
【図１５】
0005211732.tif 000016
【図１６】
0005211732.tif 000017
【図１７】
0005211732.tif 000018
【図１８】
0005211732.tif 000019
【図１９】
0005211732.tif 000020
【図２０】
0005211732.tif 000021
【図２１】
0005211732.tif 000022
【図２２】
0005211732.tif 000023
【図２３】
0005211732.tif 000024
【図２４】
0005211732.tif 000025
【図２５】
0005211732.tif 000026
【図２６】
0005211732.tif 000027
【図２７】
0005211732.tif 000028
【図２８】
0005211732.tif 000029
【図２９】
0005211732.tif 000030
【図３０】
0005211732.tif 000031